(57)【要約】      （修正有）【課題】高い発熱で保温効果を向上させ、健康に有益な保健効能を有し、かつ装填が簡単便利で製造コストを低減できる、充填材料構造を提供する。【解決手段】充填材料構造は、充填材料基材１０を備え、充填材料基材上の繊維層１１にスプレー塗装を経て乾燥した後に保護層１２が形成され、保護層上に遠赤外線を生じるナノ微粒子が分布しており、遠赤外線ナノ微粒子を人体皮膚表面の水分子と共振させることで、発熱して保温効果を向上させ、人体健康に有益な保健効能を発揮できる。また、充填材料基材に保護層と遠赤外線ナノ微粒子を乾燥形成した後、包装設備を介して袋体への装填動作を行い、袋体を、収容空間を有する衣服、掛け布団、手袋、または充填材のある内製品に詰め込むことにより、簡単便利に装填を行え、製造コストを低減できる。【選択図】図１
0003222832.tif 000002
【実用新案登録請求の範囲】
【請求項１】
充填材料基材を備える充填材料構造であって、
前記充填材料基材上に複数の繊維層を有し、前記複数の繊維層上に保護層を有し、前記保護層に複数の遠赤外線ナノ微粒子が付着していることを特徴とする、充填材料構造。
【請求項２】
前記充填材料基材は、藁、羽根毛、ウール、綿、木屑、プラスチックまたは紙であることを特徴とする、請求項１に記載の充填材料構造。
【請求項３】
前記充填材料基材を装填するための袋体をさらに備えることを特徴とする、請求項１に記載の充填材料構造。
【請求項４】
前記袋体の材質が、布、プラスチックまたは不織布であることを特徴とする、請求項３に記載の充填材料構造。
【考案の詳細な説明】
【技術分野】
【０００１】
本考案は、充填材料構造に関する。
【背景技術】
【０００２】
近年、地球規模の気候急変が原因で、高緯度地域での気温が常に零下３０〜６０℃の間に保持されることから、外出する人員は、より保温性のあるアウターを着用しなければ、十分な保温効果が得られない。
【０００３】
中緯度の地域では、昼と夜の温度差が大きいので、外出する人員は、少しでも油断すると、風邪を引き易くなる。前述した問題を回避するために、ますます増える製品の発展傾向は、ウェアーの保温効果を向上させることに向けられている。現在に至るまで、既に例えば赤外線保温ウェア、ダウンウェア、フリースウェアと吸湿発熱ウェアなどいくつの自体防寒発熱ウェアーが発展してきた。その中でもダウンウェアが最もよく見られ、その保温効果が保温層の増厚につれて増大していくが、保温層の増厚は、往々にして着心地の不快感をつのらせ、外観もそれほど美しいものとはいえない。
【０００４】
しかしながら、近年の流行の吸湿発熱ウェアーは、ダウンウェアの厚手で重量が重い欠点を改善できるが、単なる単層の設計であるので、依然として持続的な保温効果が得られず、かつ吸湿発熱ウェアーのコストもまだその他の常用の保温材質より高くなる。それゆえ、吸湿発熱ウェアーの単一構造を増厚すると、コストが高くなってしまうため、経済的利益を有さない。
【考案の概要】
【考案が解決しようとする課題】
【０００５】
本考案は、従来技術の上記問題を解決するためになされたものであって、その目的は、高い発熱を提供でき、かつ保温効果を向上させると共に、人体健康に有益な保健効能を有し、かつ装填を簡単便利に行えるようにし、かつ相対的に製造コストを低減することができる、充填材料構造を提供することにある。
【課題を解決するための手段】
【０００６】
前述した目的を達成するために、本考案により提供される充填材料構造は、充填材料基材を備え、前記充填材料基材上に複数の繊維層を有し、前記複数の繊維層上に保護層を有し、前記保護層に複数の遠赤外線ナノ微粒子が付着していることを特徴とする。
【０００７】
好適なものとしては、前記充填材料基材を装填するための袋体をさらに備える。
【０００８】
好適なものとしては、充填材料基材は、藁、羽根毛、ウール、綿、木屑、プラスチックまたは紙であってもよい。
【０００９】
好適なものとしては、前記袋体の材質が、布、プラスチックまたは不織布である。
【００１０】
具体的には、前記充填材料構造は、衣服、または掛け布団、または手袋、または充填材のある内製品に装填するものであって、その前記充填材料構造は、充填材料基材を備え、スプレー塗装設備を介して充填材料基材を内部に置くために供された後、前記充填材料基材に保護層をスプレー塗装する動作プロセスを行い、前記保護層上に複数の遠赤外線ナノ微粒子を有し、スプレー塗装が完了した後には、乾燥設備により、複数の遠赤外線ナノ微粒子及び保護層を有する充填材料基材を内部に置くために供された後、乾燥動作プロセスを行い、前記充填材料基材を乾燥させた後に上部に保護層が付着され、前記保護層上に遠赤外線を生じるナノ微粒子が数多く分布しており、前記遠赤外線ナノ微粒子を人体皮膚表面の水分子と共振させることで、発熱が達成でき、かつ保温効果を向上させ、及び人体健康に有益な保健効能を発揮できる。
【００１１】
また、充填材料基材にスプレー塗装を行い、保護層と遠赤外線ナノ微粒子が乾燥形成された後、直接に包装設備を介して袋体への装填動作を行うことができ、袋体への装填を経た後、直接に充填材料基材のある袋体を、収容空間を有する衣服、または掛け布団、または手袋、または充填材のある内製品に詰め込み、また、簡単便利に装填のモジュール化を行え、かつ相対的に製造コストを低減できる目的を達成できる。
【００１２】
前記遠赤外線ナノ微粒子は、２〜２２μｍにおける放射スペクトルを吸収する波長を有する。
【００１３】
前記袋体の材質が、布生地、プラスチック袋、不織布、織物、紙またはゴム引布であってもよい。
【考案の効果】
【００１４】
本考案の有益な効果は、以下の通りである。
１．本考案の充填材料構造は、発熱を高める効果と共に、保温を向上させる効果を有し、人体健康に対して保健の効能を有する。
２．本考案の充填材料構造は、簡単便利に操作できるようにし、かつ相対的に充填材料の製造コストを低減することができる。
【図面の簡単な説明】
【００１５】
【図１】本考案の充填材料構造の一部概略図である。
【図２】本考案の充填材料構造の製造過程概略図である。
【図３】本考案の充填材料構造の別種の実施例図である。
【図４】本考案の充填材料構造を袋体に装填した概略図である。
【考案を実施するための形態】
【００１６】
本考案の充填材料構造は、図１〜図４に示すように、前記充填材料構造は、衣服、または掛け布団、または手袋、または充填製品のある収容空間内に装填され、その前記充填材料構造は、充填材料基材１０を備え、前記充填材料基材１０上に複数の繊維層１１を有し、前記複数の繊維層１１上に保護層１２を有し、前記保護層１２に複数の遠赤外線ナノ微粒子１３が付着しており、前記遠赤外線ナノ微粒子１３は、２〜２２μｍにおける放射スペクトルを吸収する波長を有する。
【００１７】
上記の製造過程においては、前記充填材料基材１０がスプレー塗装設備Ａ内の空間に置かれた後、スプレー塗装設備ＡのノズルＡ１から、充填材料基材１０の重量に応じて一定の比率の複数の遠赤外線ナノ微粒子１３を含む保護液体を噴霧し、前記保護液体が複数の繊維層１１に付着しており、噴霧完了後に第１連結管Ａ２を通過し、前記第１連結管Ａ２にはスプレー塗装設備Ａ内の空間及び乾燥設備Ｂ内の空間に連通すると共に、前記充填材料基材１０を乾燥設備Ｂ内の空間までの輸送が行われる。
【００１８】
前記乾燥設備Ｂは、燃焼器Ｂ１を有し、前記燃焼器Ｂ１は、熱源を前記乾燥設備Ｂ内の空間内まで提供し、前記充填材料基材１０に付着されている複数の遠赤外線ナノ微粒子１３を含む保護液体が前記燃焼器Ｂ１を通過して熱源を提供することにより、前記充填材料基材１０上の繊維層１１を密接包覆するように、保護液体を乾燥凝固させる。
【００１９】
前記充填材料基材１０の乾燥を経た後に、複数の繊維層１１上に保護層１２を付着させ、かつ前記保護層１２上に遠赤外線を生じるナノ微粒子１３を数多く分布させ、前記遠赤外線ナノ微粒子１３を人体皮膚表面の水分子と共振させることで、発熱が達成でき、かつ保温効果を向上させ、及び人体健康に有益な保健効能を発揮できる。
【００２０】
また、上記の充填材料基材１０にスプレー塗装を行い、複数の繊維層１１に乾燥が施されて保護層１２と遠赤外線ナノ微粒子１３が形成された後、直接に包装設備Ｃを通過することができ、前記包装設備Ｃ内の空間と前記乾燥設備Ｂの空間とに第２連結管Ｂ２を有し、袋体２０への装填動作プロセスを行おうとするとき、直接に前記乾燥設備Ｂの空間内から乾燥完了の前記充填材料基材１０を、前記包装設備Ｃ内の空間に置かれた袋体２０（前記袋体２０が、布生地材質、プラスチック袋材質、不織布材質、織物、紙、またはゴム引布などの材質のもの）に向かって前記充填材料基材１０（前記充填材料基材１０は、藁、羽根毛、ウール、綿、木屑、プラスチックまたは紙であってもよい）を袋体２０へ装填する動作を行い、袋体２０への装填を経て前記充填材料基材１０を内部に密閉収納させた後、直接に充填材料基材１０のある袋体２０を、収容空間を有する衣服、または掛け布団、または手袋、または充填材のある内製品に詰め込み、また、簡単便利に装填のモジュール化を行え、かつ相対的に製造コストを低減できる目的を達成できる。
【００２１】
以上の実施例は、単に本考案の一好ましい実施例に過ぎず、本実用新案登録請求の範囲を限定するためのものではない。本考案に基づいてなされた種々の修正または等効果の置き換えも、全て本考案の保護範囲内に属するとみなすべきである。
【符号の説明】
【００２２】
Ａ：スプレー塗装設備
Ａ１：ノズル
Ａ２：第１連結管
Ｂ：乾燥設備
Ｂ１：燃焼器
Ｂ２：第２連結管
Ｃ：包装設備
１０：充填材料基材
１１：繊維層
１２：保護層
１３：遠赤外線ナノ微粒子
２０：袋体
【図１】
0003222832.tif 000003
【図２】
0003222832.tif 000004
【図３】
0003222832.tif 000005
【図４】
0003222832.tif 000006